【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
マルチレイヤビデオ復号化処理において動きベクトルを予測する方法であって、
ベースレイヤ復号化処理だけによって得られた復元ビデオデータとエンハンスメントレイヤ復号化処理から得られた復元ビデオデータのサイズ差を決定することと、
前記決定されたサイズ差に従ってベースレイヤピクセルブロック分割マップをスケーリングすることと、
前記サイズ差に従ってスケーリングされた時に、どのベースレイヤピクセルブロックが、エンハンスメントレイヤピクセルブロックと同位置にあるかを決定し、
前記サイズ差に従って前記同位置にあるベースレイヤピクセルブロックの動きベクトルをスケーリングし、
前記エンハンスメントレイヤピクセルブロックと、それぞれの前記スケーリングされたベースレイヤピクセルブロックとの重複の程度に従って、前記スケーリングされた動きベクトル各々の寄与に重み付けして、前記同位置にあるベースレイヤピクセルブロックの前記スケーリングされた動きベクトルを平均化すること
に従ってエンハンスメントレイヤピクセルブロックの動きベクトルを予測することと、
を備える、方法。
【請求項２】
請求項１に記載の方法であって、さらに、同位置にあるベースレイヤピクセルブロックが、それに関連する動きベクトルを有していない場合に、隣接するベースレイヤピクセルブロックの動きベクトルから、それぞれの前記ベースレイヤピクセルブロックの動きベクトルを補間することを備える、方法。
【請求項３】
請求項１に記載の方法であって、さらに、通信チャネルから受信したエンハンスメントレイヤピクセルブロック定義およびベースレイヤピクセルブロックから分割マップを生成することを備える、方法。
【請求項４】
請求項１に記載の方法であって、さらに、前記予測された動きベクトルに従って、格納された復号化ベースレイヤ画像データから前記エンハンスメントレイヤピクセルブロックのデータを予測することを備える、方法。
【請求項５】
請求項１に記載の方法であって、さらに、前記予測された動きベクトルに従って、格納された復号化エンハンスメントレイヤ画像データから前記エンハンスメントレイヤピクセルブロックのデータを予測することを備える、方法。
【請求項６】
マルチレイヤビデオデコーダであって、
時間予測技術に従って、チャネル内に供給されたベースレイヤ符号化ビデオから復元ベースレイヤ画像データを生成するためのベースレイヤデコーダと、
時間予測技術に従って、チャネル内に供給されたエンハンスメントレイヤ符号化ビデオから復元エンハンスメントレイヤ画像データを生成するためのエンハンスメントレイヤデコーダと、を備え、
前記エンハンスメントレイヤデコーダは、
前記ベースレイヤ画像データおよび前記エンハンスメントレイヤ画像データのピクセルブロック分割を表す情報を格納する分割マップと、
動きベクトルに従って、以前に復号化された画像データから復元エンハンスメントレイヤ画像データを予測する動き補償予測部とを備え、
少なくとも１つのエンハンスメントレイヤピクセルブロックの動きベクトルは、
ベースレイヤピクセルブロックとエンハンスメントレイヤピクセルブロックとの間のサイズ差に従ってスケーリングされた時に、どのベースレイヤピクセルブロックが、前記エンハンスメントレイヤピクセルブロックと同位置にあるかを決定し、
前記サイズ差に従って前記同位置にあるベースレイヤピクセルブロックの動きベクトルをスケーリングし、
前記エンハンスメントレイヤピクセルブロックと、それぞれの前記スケーリングされたベースレイヤピクセルブロックとの重複の程度に従って、前記スケーリングされた動きベクトル各々の寄与に重み付けし、前記同位置にあるベースレイヤピクセルブロックの前記スケーリングされた動きベクトルを平均化すること、
に従って予測される、デコーダ。
【請求項７】
請求項６に記載のデコーダであって、同位置にあるベースレイヤピクセルブロックが、それに関連する動きベクトルを有していない場合に、前記動き補償予測部は、隣接するベースレイヤピクセルブロックの動きベクトルから、それぞれの前記ベースレイヤピクセルブロックの動きベクトルを補間する、デコーダ。
【請求項８】
請求項６に記載のデコーダであって、前記分割マップは、通信チャネルから受信したエンハンスメントレイヤピクセルブロック定義およびベースレイヤピクセルブロックから分割情報を導出する、デコーダ。
【請求項９】
請求項６に記載のデコーダであって、前記以前に復号化された画像データは、格納された復号化ベースレイヤ画像データである、デコーダ。
【請求項１０】
請求項６に記載のデコーダであって、前記以前に復号化された画像データは、格納された復号化エンハンスメントレイヤ画像データである、デコーダ。
【請求項１１】
ビデオ復号化方法であって、
時間予測技術に従って、チャネルに供給されたベースレイヤ符号化ビデオから復元された予測領域データを復号化することと、
前記復元された予測領域データと以前に復号化された復元エンハンスメントレイヤデータから得られた境界データとの間のマージによって合成画像データを生成することと、
前記合成画像データに対してフィルタ処理を施すことと、
前記フィルタ処理が施された合成画像データと、時間予測技術に従って、チャネル内に供給されたエンハンスメントレイヤ符号化ビデオとから、新たな復元エンハンスメントレイヤ画像データを生成することと、
を備える、方法。
【請求項１２】
請求項１１に記載の方法であって、境界領域として取得されるデータの量が、施されるフィルタ処理の種類から決定される、方法。
【請求項１３】
請求項１１に記載の方法であって、前記フィルタ処理はデブロックフィルタ処理である、方法。
【請求項１４】
請求項１１に記載の方法であって、前記フィルタ処理はリンギングフィルタ処理である、方法。
【請求項１５】
請求項１１に記載の方法であって、前記フィルタ処理はエッジ検出フィルタ処理である、方法。
【請求項１６】
ビデオデコーダであって、
時間予測技術に従って、チャネル内に供給されたベースレイヤ符号化ビデオから復元ベースレイヤ画像データを生成するためのベースレイヤデコーダと、
時間予測技術に従って、チャネル内に供給されたエンハンスメントレイヤ符号化ビデオから復元エンハンスメントレイヤ画像データを生成するためのエンハンスメントレイヤデコーダであって、復元エンハンスメントレイヤ画像データの参照フレームのためのストレージを有する、エンハンスメントレイヤデコーダと、
復元ベースレイヤ画像データと、復元エンハンスメントレイヤ画像データの参照フレームとのための入力を有し、前記復元ベースレイヤ画像データからの予測領域と、復元エンハンスメントレイヤ画像データの前記参照フレームからの境界領域とをマージする合成画像生成部であって、前記予測領域は、前記復元ベースレイヤ画像データと前記復元エンハンスメントレイヤ画像データとの間の任意のサイズ差をなくすようにスケーリングされており、前記境界領域は、前記予測領域によって占められる空間領域を縁取る空間領域から得られる、合成画像生成部と、
前記マージされたデータに画像フィルタ処理を施すためのフィルタであって、前記フィルタの出力は、時間予測のための参照画像データとして前記エンハンスメントレイヤデコーダに入力される、フィルタと、
を備える、デコーダ。
【請求項１７】
請求項１６に記載のデコーダであって、前記境界領域の幅は、施される画像フィルタ処理の種類から決定される、デコーダ。
【請求項１８】
請求項１６に記載のデコーダであって、前記画像フィルタ処理はデブロックフィルタ処理である、デコーダ。
【請求項１９】
請求項１６に記載のデコーダであって、前記画像フィルタ処理はリンギングフィルタ処理である、デコーダ。
【請求項２０】
請求項１６に記載のデコーダであって、前記画像フィルタ処理はエッジ検出フィルタ処理である、デコーダ。